(57)【要約】  サポート（１）であって：少なくとも一つの伸縮式の脚部（２ａ）を有しており、この脚部は、第一の管状のセグメント（４）と；第二の管状のセグメント（５）と；第三の管状のセグメント（６）と；第一のセグメントと第二のセグメントの間に配置された第一のロック手段（９）と；第二のセグメントと第三のセグメントの間に配置された第二のロック手段（１０ａ）と；第一のセグメント及び第二のセグメントの中での、挿入方向への、第二のセグメント及び第三のセグメントのそれぞれのスライド運動に対するロックを外すことが可能な、第一の解除手段（９０）及び第二の解除手段（１１０ａ）と；を有している。第二の解除手段は、第二のセグメント及び第三のセグメントの外側の上で軸方向にスライド可能な駆動メンバー（１１）を有していて、第一の解除手段は、第二のセグメントが第一のセグメントの中に軸方向に挿入されたときに、前記駆動メンバーの位置を定め、且つ、この駆動メンバーを前記作動位置へ軸方向に変位させるように、その寸法が定められている（図５）。
2009522592.tif 000002
【特許請求の範囲】
【請求項１】
特に光学的なまたは写真撮影での使用のためのサポートであって、
少なくとも一つの伸縮式の脚部（２ａ，２ｂ，２ｃ）を有しており、
この脚部は、
第一の管状のセグメント（４）と；
前記第一のセグメントの中にスライド可能に挿入される第二の管状のセグメント（５）と；
前記第一のセグメントとは反対側の端部で、前記第二のセグメントの中にスライド可能に挿入される第三の管状のセグメント（６）と；
前記第一のセグメントと第二のセグメントの間に配置され、前記第一のセグメントの中での、軸方向の挿入方向（Ｘ）への前記第二のセグメントのスライド運動をロックするための第一のロック手段（９）と；
前記第二のセグメントと第三のセグメントの間に配置され、前記第二のセグメントの中での、前記軸方向の挿入方向への前記第三のセグメントのスライド運動をロックするための第二のロック手段（１０ａ）と；
前記第一及び第二のロック手段にそれぞれ対応して設けられ、前記第一及び第二のセグメントの中での、前記挿入方向への、前記第二及び第三のセグメントのそれぞれのスライド運動に対するロックを外すことが可能な、第一の解除手段（９０）及び第二の解除手段（１１０ａ）と；
を有するサポートにおいて、
前記第二の解除手段は、静止位置と作動位置の間で、前記第二のセグメント及び第三のセグメントの外側で軸方向にスライド可能な駆動メンバー（１１）を有していて、この作動位置は、前記静止位置から前記挿入方向に対して反対方向への軸方向のスライドにより到達されるものであり、且つこの作動位置で前記第二のロック手段（１１０ａ）のロックが解除されること、及び、
前記第一の解除手段（９０）は、前記第二のセグメントが前記第一のセグメントの中に軸方向に挿入されたときに、第二の解除手段の前記駆動メンバー（１１）の位置を定め、且つ、前記駆動メンバーを前記作動位置へ軸方向に変位させるように、その寸法が定められること；
を特徴とするサポート。
【請求項２】
下記特徴を有する請求項１に記載のサポート：
前記第一の解除手段（９０）は、静止位置と作動位置の間で、前記第一のセグメント及び第二のセグメントの外側で軸方向にスライド可能な駆動メンバー（１１’）を有していて、この作動位置は、前記静止位置から前記挿入方向に対して反対方向への軸方向のスライドにより到達されるものであり、この作動位置で前記第一のロック手段のロックが解除される。
【請求項３】
下記特徴を有する請求項２に記載のサポート：
前記駆動メンバーは、弾性的手段（２７）により、前記静止位置へ向けて押し出される。
【請求項４】
下記特徴を有する請求項２に記載のサポート：
前記駆動メンバーは、スリーブの形状である。
【請求項５】
下記特徴を有する請求項１から４のいずれか１項に記載のサポート：
前記第一の及び第二のロック手段は、一方向タイプである。
【請求項６】
下記特徴を有する請求項１から５のいずれか１項に記載のサポート：
前記第二のロック手段は、前記第三のセグメントの上にスライドされ、且つ、前記第三のセグメントをクランプするために径方向に収縮可能な部分（２３）を有するカラー（２２）を有し、
前記カラーは、前記カラーを径方向に収縮させることが可能なシート（２６）から、及びこのシートに向けて、軸方向に変位可能である。
【請求項７】
下記特徴を有する請求項６に記載のサポート：
前記挿入方向への、前記シートに対する前記カラーの軸方向の変位の結果として、前記カラーの軸方向の収縮をもたらすように、前記カラーの上に、および／または、前記シートの上に、軸の方向に対して傾斜した表面が規定されている。
【請求項８】
下記特徴を有する請求項６または７に記載のサポート：
前記シート（２６）は、前記第三のセグメントに面する前記第二のセグメントの端部に固定されたブッシュ（２５）の上に設けられている。
【請求項９】
下記特徴を有する請求項１から８のいずれか１項に記載のサポート：
前記カラーは、軸方向のスライドに対して、前記駆動メンバーに固定されている。
【請求項１０】
下記特徴を有する請求項１に記載のサポート：
前記第二のロック手段は、前記第三のセグメントの外側に、前記第三のセグメントと同軸の少なくとも一つのワッシャ（３５）を有し、
前記ワッシャは、その端部の内の一方で、前記第二の解除手段に固定され、且つ、ロック位置から、前記第二の解除手段が作動位置に変位されたときに到達される解除位置へ、前記脚部に対して垂直な軸の周りで旋回することが可能であり、
このロック位置において、前記第二のセグメントと前記第三のセグメントの間の相対的なスライド運動が、前記ワッシャと前記第三のセグメントの間の接触によりもたらされる摩擦により防止される。
【請求項１１】
下記特徴を有する請求項１から１０のいずれか１項に記載のサポート：
前記第一のロック手段は、前記第二のロック手段と同一である。
【請求項１２】
下記特徴を有する請求項１から１１のいずれか１項に記載のサポート：
前記第一の解除手段は、リモート・コントロール式の作動手段により作動される。
【請求項１３】
下記特徴を有する請求項１２に記載のサポート：
前記作動手段は、軸方向の運動を前記第一のロック手段に伝達するために、各脚部に対して、軸方向に変位可能な対応するロック解除ロッド（３２）を有している。
【請求項１４】
下記特徴を有する請求項１３に記載のサポート：
前記ロック解除ロッドは、前記第一のセグメントと第二のセグメントの間に挿入されるように寸法が定められた、湾曲したプレート（３２）の形状であり、
前記第一のロック手段と前記ロッドの間に、軸方向のスラストを均一に前記第一のロック手段に伝達するために、ブッシング（３３）が挿入されている。
【請求項１５】
下記特徴を有する請求項１４に記載のサポート：
前記ロック解除ロッドのそれぞれは、前記サポートの上に配置された対応するプッシュボタン機構により作動される。
【請求項１６】
下記特徴を有する請求項１４に記載のサポート：
前記ロック解除ロッドの全ては、前記サポートの上に配置された単一のプッシュボタン機構により作動される。
【発明の詳細な説明】
【技術分野】
【０００１】
本発明の主題は、サポートであり、特に、光学的なまたは写真撮影での使用のためのサポートであるが、それに限定されるものではなく、メイン・クレームの前提書き部分に挙げられた特徴を有するタイプのサポートである。
【背景技術】
【０００２】
この技術分野において、一本の脚のスタンドまたは三脚などのような、伸縮式の脚部が設けられたカメラのためのサポートを製造することが知られている。そのような脚部は、大きな抵抗無しに伸長の方向に調整可能であり、且つ、その反対方向に、即ち収縮の方向に対しては、自動的にロックされる。そのようなサポートを用いて、セットアップの段階におけるオペレータの手間を最小にし、且つ、脚部のロックを、それにより支持される荷重の効果のみにより、もたらすことが可能になる。
【０００３】
脚部の自動的なロックは、複数の装置によりもたらされ、それらの装置のそれぞれは、サポートの各脚部を構成している連続するセグメントの各対に作用を及ぼす。
【０００４】
このソリューションは、サポートの高さの調整の段階において、オペレータが、前記ロック装置のそれぞれの効果を、互いに対して独立に取り除くことにより、サポートの各脚部の長さを縮めることを可能にする。
【０００５】
以上で述べた構造的な技術に関する主な欠点は、次の事実にある。即ち、それをその最小の長さで使用するために、あるいは、それを持ち運びのための形態にするために、オペレータが一本の脚部を完全に縮めようと思ったとき、オペレータは、しかしながら、各ロック装置に直接作用を与えることにより、その脚部自体の中に含まれている全てのロック装置の効果を一つずつ取り除かなければならないと言うことである。
【発明の開示】
【０００６】
この発明の基礎を成す技術的な問題は、示された先行技術を参照しながら挙げられた欠点が治癒されることを可能にするように、構造的に且つ機能的にデザインされた調整可能なテレスコピックなサポートを提供することにある。
【０００７】
この問題は、本発明により、特許請求項に基づき製造されるサポートにより、解決される。
【発明を実施するための最良の形態】
【０００８】
本発明の特徴及び優位性は、非限定的な例として、添付図面を用いて示されたその幾つかの好ましい実施形態の例の詳細な説明から、より明らかになるであろう。
【０００９】
先ず最初に、図１，２及び３を参照すると、参照符号１は、サポートを全体として示している。ここに示された好ましい例において、三脚は、光学的なまたは写真撮影での使用のためのものであって、本発明に基づき製造され、スパイダー３に収斂する３本の伸縮式の脚部２ａ，２ｂ，２ｃを有している。ここで理解すべきことは、光学的なまたは撮影用の装置のための、単一の脚部スタンド、ポールなどのような他のサポートが、もし、それらが少なくとも一つのテレスコピックに伸長可能な脚部を含んでいる場合には、本発明の中で、それを変形することなく使用されても良いと言うことである。
【００１０】
３本の脚部は、好ましくは、互いに実質的に同一である。それ故に、それらの内の一つだけが、具体的には脚部２ａが、図２及び３に、二つの異なる作動形態で示されていて、それらは、それぞれ、完全に引き伸ばされた状態、及び完全に縮められた状態と呼ばれている。
【００１１】
脚部２ａは、軸Ｘに沿って伸び、第一の、第二の、第三の、及び第四の管状のセグメント４，５，６，７を有している。それらについては、以下において詳細に説明される。第一の管状のセグメント４には、長手方向の端部４ａが設けられ、スパイダー３にヒンジ式に接続され、反対側の長手方向の端部４ｂを有している。第二の管状のセグメント５は、その長手方向の端部５ａで、第一のセグメント４の中に、その端部４ｂで、スライド可能に挿入されている。第三の管状のセグメント６は、その長手方向の端部６ａで、第二のセグメント５の中に、端部５ａに対して長手方向に反対側の端部５ｂで、スライド可能に挿入されている。最後に、第四の管状のセグメント７は、その長手方向の端部７ａで、第三のセグメント６の中に、端部６ａに対して長手方向に反対側に端部６ｂで、スライド可能に挿入されている。好ましくは、第四のセグメント７は、端部７ａに対して長手方向に反対側の一つの端部７ｂに、三脚１のためのサポート下端部８を有している。
【００１２】
ここで理解すべきことは、サポート１の各脚部２ａ，２ｂ，２ｃに含まれるセグメントの数は、任意な数であって良いことであり；本発明を実施するためには、脚部当りのセグメントが３本またはそれ以上であれば十分である。
【００１３】
第一及び第二のセグメント４及び５は、互いの中でスライド可能にガイドされ、それらの間に取り付けられた第一のロック手段９により、所望の如何なる相対的な位置においても、ロックされることが可能である。
【００１４】
同様に、第二のセグメント５及び第三のセグメント６、及び第三のセグメント６の及び第四のセグメント７も、互いの中でスライド可能にガイドされ、それらの間に取り付けられた第二及び第三のロック手段１０ａ，１０ｂのそれぞれにより、所望の如何なる相対的な位置においても、ロックされることが可能である。
【００１５】
第一の、第二の、及び第三のロック手段９，１０ａ，１０ｂのそれぞれは、第二の、第三の、及び第四のセグメント５，６，７の、軸方向のスライド方向への、それぞれのスライド運動をロックすることが可能である。これらのセグメント５，６，７は、好ましくは、脚部が伸びる軸Ｘに沿ってスライドし、これらのセグメントのスライド運動が対応するロック手段によりロックされる軸方向の方向は、以下において、軸方向の挿入方向と呼ばれ、それは、一つのセグメントが隣接するセグメントの中に挿入される方向である。
【００１６】
好ましくは、第三のロック手段１０ｂは、第二の手段１０ａと、機能的に且つ構造的に同様であるが、第二の手段と比べてより小さい寸法で製造される。
【００１７】
それに加えて、サポート１は、第一の、第二の、及び第三のロック手段９，１０ａ，１０ｂのそれぞれのために、対応する第一の、第二の、及び第三の解除手段９０、１１０ａ、１１０ｂを有していて、解除手段のそれぞれは、第一のセグメントの内側での第二のセグメントの、第二のセグメントの内側での第三のセグメントの、及び第三のセグメントの内側での第四のセグメントの、軸方向の挿入方向への軸方向のスライドのロックを、それぞれ外すことが可能である。
【００１８】
図４を参照すると、第二の解除手段１１０ａは、駆動メンバーを有している。この駆動メンバーは、好ましい例において、中空のスリーブ１１の形状であり、第二のセグメント５及び第三のセグメント６の外側で軸方向にスライド可能であり、セグメント５の端部５ｂに、配置される。
【００１９】
スリーブ１１は、特に、静止位置（rest position）から、先に規定された挿入方向に対して反対方向への軸方向のスライドにより、静止位置から到達される作動位置（operating position）へ、軸Ｘに沿って軸方向に変位可能である。スリーブ１１の静止位置において、解除手段１１０ａは、作動していない。そして、対応するロック手段１０ａが、第二のセグメント５の中への第三のセグメント６の挿入を防止する。これに対して、スリーブ１１の作動位置においては、解除手段１１０ａがロック手段１０ａに作用を与え、ロック手段のロックを解除し、それ故に、前述の挿入を可能にする。
【００２０】
図４を参照しながら示された実施形態の例において、スリーブ１１は、実質的に円筒状の形態を構造的に有していて、この形態は、実質的に軸Ｘに対して平行で内側表面１８及び外側表面１９を規定する側壁と、二つの反対側の軸方向の端部で側壁を閉じる二つのベース・ウォール、即ちアッパー・ウォール１３及びロウアー・ウォール１６を有している。各ベース・ウォール１３，１６は、その中での、第二のセグメント及び第三のセグメント５，６のそれぞれのスライド運動のための、中央開口部１２，１５を有している。
【００２１】
それに加えて、スリーブ１１は、径方向の突起２０を有している、この突起は、内側の表面１８から突出し、且つ、ロウアー・ベース・ウォール１６の近くに配置されている。突起２０、側面１８及びロウアー・ベース・ウォール１６は、スリーブ１１の中に、環状のシート２１を規定する。
【００２２】
ロック手段１０ａは、スリーブ１１の内側に、第三のセグメント６の上にスライド可能に取り付けられたカラー２２を有している。このカラー２２は、第二のセグメント５の方向に向いたその長手方向の端部に、径方向に収縮可能な部分２３を有している。この部分は、例えば、第二のセグメントから離れる方向に増大する直径を有する円錐台部分であって、縮められたときに、第三のセグメント６をクランプして、そのスライドを防止することが可能である。
【００２３】
カラー２２は、更に、反対側の長手方向の端部に、径方向の突起２４を含み、この突起は、スリーブ１１のシート２１の中に噛み合う。突起２４とシート２１の間の結合は、軸方向のスライド運動に対して、カラー２２をスリーブ１１に固定させる。
【００２４】
ロック手段１０ａは、同様に、第二のセグメント５の端部５ｂに、そこにリジッドに固定される機械加工されたブッシュ２５を有している。ブッシュ２５は、環状のショルダー２５ｂを有し、このショルダーは、その内側の直径を制限し、且つこのショルダーに、セグメント５の端部５ｂが接する。このブッシュ２５は、シート２６を有し、このシートは、径方向に収縮可能な部分２３を受けることが可能であり、その部分２３をクランプするために使用される。特に、ここに示された好ましい例によれば、シート２６は、軸Ｘに対して傾斜した少なくとも一つの表面を有していて、それにより、挿入方向への、シートに対するカラー２２の軸方向の収縮がもたらされることになる。具体的には、シート２６は、第三のセグメント６の方向に開く円錐台の部分を有している。
【００２５】
ブッシュ２５の、スパイダー３の方を向いた長手方向の端部２５ａと、スリーブ１１のアッパー・ベース・ウォール１３との間で、弾性的手段２７（例えば、軸Ｘと一致する軸を有する螺旋スプリング）が作動し、この弾性的手段は、バイアスの効果によって、ブッシュ２５を脚部２ａの下端部８の方向へ押し、同時に、スリーブ１１をスパイダー３の方向へ押す、このスリーブに対して、カラー２２がスライド可能に結合されている。
【００２６】
スプリング２７のバイアス作用の効果によって、カラー２２の円錐台部分２３が、シート２６の中に押し込まれて、セグメント５に対するセグメント６の一方向のロックをもたらす。それと同時に、第二の解除手段１１０ａのスリーブ１１が、静止位置へ押し出される。
【００２７】
スプリングのバイアスは、セグメント５からセグメント６を引き出すべくセグメント５と６の間に作用する引張力であって且つ脚部２ａを伸ばすためにオペレータにより手で加えられる引張力によって、そのバイアスが容易に打ち消されることが可能であるように、その寸法が定められる。
【００２８】
サポート１の使用中において、三脚１及び支持された装置の重量により決定されるような軸方向のスラスト力が、第二のセグメント５と第三のセグメント６の間に、挿入方向に加えられた場合に、カラー２２の円錐台部分２３は、シート２６に対して主として押され、第三のセグメント６の方向へ径方向に収縮させ、第二のセグメント５に対するその軸方向のスライド運動をロックする。
【００２９】
脚部２ａの収縮方向へのセグメント５と６の間の相対的なスライド運動に対するロックを解除するために、オペレータが第二の解除手段１１０ａに作用を与えるだけで、即ちスリーブ１１を下端部８の方向へ押すだけで、十分であり、それにより、スリーブを移動させ、それによりスリーブを、静止位置から、ロック解除のための作動位置へ到達させる：カラー２２の突起２４とスリーブ１１の環状のシート２１の間の結合のために、カラー２２の円錐台部分２３がシート２６から外れ、それによって、セグメント５の中に挿入されることが可能であるところのセグメント６の解放がもたらされる。
【００３０】
第三のロック手段１０ｂ、そしてまた第三の解除手段１１０ｂは、詳細には示されていない、その理由は、それらは、好ましくは、以上で述べた解除装置１０ａ及び１１０ａと実質的に同様であるからである。しかしながら、ここで理解すべきことは、それらの形態が、更なる実施形態の例において、実質的に異なっていても良く、そして、当該分野で知られている如何なるロック及び解除装置が使用されても良いことである。
【００３１】
次に、図５を参照すると、第一のロック手段９及び対応する第一の解除手段９０が、示されている。
【００３２】
本発明の基本的な特徴によれば、第一の解除手段９０は、第二のセグメント５が第一のセグメント４の中に軸方向に挿入されたときに、第二の解除手段１１０ａの駆動メンバー１１に接し、それを軸方向に作動位置へ変位させるように、その寸法が構造的に定められる。
【００３３】
上記の条件が満足されているならば、第一のロック装置９は、任意の形態を有していても良い：特に、ロック手段９は、図５に示されているように、手段１０ａ，１０ｂと同一であっても良い。この図５では、第二の解除及びロック手段１１０ａ、１０ａと同様な部材は、プライム符号（’）が付けられた同じ参照符号により示されている。
【００３４】
図５の本発明の好ましい例によれば、第一の解除手段９０は、作動させるスリーブ１１の位置を定めるために、ロック装置１０ａの方向に向いた表面２９を有し、この表面は、例えば、更なるスリーブ１１’の上に設けられ、このスリーブは、第二の手段１１０ａのスリーブ１１と同様である。ここに示された例において、表面２９は、更なるスリーブ１１’のロウアー・ベース・ウォール１６’の外側表面である。
【００３５】
使用中に、例えば、第一の解除手段９０の更なるスリーブ１１’の軸方向の並進運動により、ロック装置９の効果が取り除かれ、そして、図３の中で矢印３０により示されるように、スラスト力が脚部２ａに加えられたとき、アッパー・ベース・ウォール１３の外側表面で、駆動メンバー１１’の表面２９が第二の解除手段１１０ａのスリーブ１１に接触するまで、第一のセグメント４の内側で第二のセグメント５がスライドすることが可能である。二つの表面が互いに接触したとき、力３０を更に加え続けることによって、スリーブ１１が挿入方向に対して反対方向へ移動される。以上で述べたように、これは、第二のロック手段１０ａのロック解除をもたらし、そして、力３０を連続して加えることの効果によって、スリーブ１１のロウアー・ベース１６が、脚部２ａ’の第三の解除手段１１０ｂの対応するスリーブの対応するアッパー・ベース（詳細には示されていない）に接するまで、セグメント５の内側でのセグメント６のスライドをもたらす。
【００３６】
この更なる接触は、第三の解除手段１１０ｂの作動をもたらし、それ故に、挿入方向に対して反対方向へのスリーブの変位の効果によって、第三のロック手段１０ｂのロック解除をもたらす。スラスト３０を連続して作用させることにより、第三の解除手段１１０ｂのスリーブが下端部８に接触するまで、第三のセグメント６の内側での第四のセグメント７のスライドがもたらされる、それにより、図３に示されているように、脚部２ａが完全に縮められた形態に到達する。
【００３７】
本発明に基づくサポートの可能性のある構造的な変形形態の内の一つにおいて、第一の解除装置９０は、リモート・コントロール作動手段により作動され、それによって、第一のロック手段９のロックの解除（そして、連続して、第二の手段１０ａ及び第三の手段１０ｂのロックの解除）もまた、リモート・コントロールにより行われることになる。
【００３８】
作動は、好ましくは、ロック解除ロッドによりもたらされ、このロッドは、軸方向の運動を第一のロック手段９に与える。
【００３９】
リモート・コントロールされる解除装置９０は、その好ましい実施形態の例において、ロック解除ロッドとして、スパイダー３とセグメント４の端部４ｂの間で長手方向に伸びる湾曲したプレート３２を有し、このプレートは、第一のセグメント４と第二のセグメント５の間に挿入され、第二のセグメントが第一のセグメント４の内側でスライドする。プレート３２は、端部４ｂで、ブッシング３３と噛み合い、このブッシングは、第二のセグメント５の上にスライドされ、且つ、カラー２２’の円錐台部分２３’を押す。
【００４０】
遠隔式の機構（図示せず）の効果による、プレート３２の、カラー２２’の方向への変位は、円錐台部分２３’上へのブッシング３３の対応するスラストをもたらし、シート２６’からの円錐台部分２３’のそれに続く離脱をもたらす。上記の遠隔式の機構は、例えば、スパイダー３上に、または支持された装置に最も近い脚部の端部上に配置されたプッシュボタンにより作動される機構である。このようにして、手段９のロック解除を、オペレータの駆動メンバー１１’への直接の介入無しで、実現することが可能になる。
【００４１】
本発明の更なる構造的な変形形態（図示せず）は、単一の遠隔式ロック解除機構、例えば、スパイダー３の上に配置されたプッシュボタンにより作動されるプッシュボタン機構の使用をもたらす。その機構は、同時に、三脚１のそれぞれ脚部２ａ，２ｂ，２ｃの第一のロック手段９に作用し、それによって、一回のタッチで、サポート１の迅速な閉鎖が実現されることになる。
【００４２】
ここで理解すべきことは、“プッシュボタン”機構との表現によって、ユーザーによる手動コントロールのためのより一般的に全ての機構を意味していることであり、それは、例えば、押し込みまたはレバー・スイッチ、またはタッチ・スクリーン、その他である。
【００４３】
図６及び７を参照すると、その構造的な変形形態において、第二のロック手段１０ａ’は、ケーシング３４とワッシャ３５を有し、ケーシング３４は、第二のセグメント５の端部５ｂ上で一体的に滑り、ワッシャ３５は、ケーシング３４の内側に配置された第三のセグメント６上で、その外側を且つ同軸上で、遊びを有して滑る。ワッシャ３５には、ケーシング３４の開口部３７の中を貫通する付属肢（appendage）３６が設けられ、またロック装置９の方向に向いた端部３８が設けられ、この端部は、第一の解除装置９０の駆動メンバー１１’により配置されることが可能である。
【００４４】
付属肢３６は、ロック手段１０ａ’の第二の解除手段１１０ａ’を構成し、その運動により、特に、挿入方向に対して反対方向への軸Ｘに沿った並進運動（これに回転が結合されても良い）により、ワッシャ３５を、図６の中の第一の位置／ロック位置から、図７の中の解除位置へ、旋回させることが可能である。上記ロック位置では、第二のセグメント５と第三のセグメント６の間の相対的なスライド運動が、ワッシャと第三のセグメントの間の接触により作り出される摩擦により防止され、上記解除位置ではスライド運動が可能になる。これに関しては、以下において詳細に説明される。
【００４５】
ワッシャ３５は、軸Ｘに対して垂直な軸に対して旋回することが可能であり、その径方向の端部で、シート３９の内側に固定される。このシート３９は、ケーシング３４の中に含まれるピン４０の二つの径方向の突起４１，４２により規定される。シート３９に結合されるワッシャ３５の部分は、付属肢３６に対して径方向に反対側の位置に配置される。ピン４０は、シート３９が取り付けられる端部とは反対側の端部で、ネジが切られていて、ケーシング３４の上に設けられた対応するネジ孔４３に結合され、ナット４４により、この位置にロックされる。
【００４６】
ロック装置１０ａ’は、ケーシング３４の内部に、軸Ｘに対して平行な軸を備えた弾性的手段、特に螺旋スプリング４５を、更に有している。この弾性的手段は、バイアスが与えられ、ワッシャ３５の、付属肢３６に近い部分を押している。
【００４７】
静止状態で、スプリング４５の作用及びシート３９との連結の効果によって、ワッシャ３５が、軸Ｘに対して垂直な軸の周りで回転し、それによって、セグメント６と干渉し、摩擦の効果によってそれをロックすることになる。この構造的な変形形態によりもたらされるロックもまた、挿入方向のみへの、一方向タイプである。
【００４８】
ロック手段１０ａ’のロックを解除するために、付属肢３６に作用を与えて、それを挿入方向に対して反対方向へ軸方向に変位させる。この挿入方向はまた、スプリング４５のバイアスによりもたらされるスラストの方向でもある。この変位は、軸Ｘに対する垂直の限界で、主として軸Ｘに対して傾斜した位置の方向への、ワッシャ３５の対応する回転を含んでいる。この垂直の限界において、ワッシャ３５とセグメント６の間の干渉が、取り除かれ、セグメント５の中でのセグメント６のスライドが可能になる。
【００４９】
付属肢３６の変位は、オペレータにより直接的に、あるいは、端部３８と第一の解除手段９０の駆動メンバー１１’の間の接触により、もたらされても良い。
【００５０】
以上で述べた本発明は、ヴィデオ・カメラのオペレータが、第一のセグメントと第二のセグメントの間の相対的なスライド運動を防止する第一のロック手段９０の効果を取り除き、次いで、脚部それ自体の両端の間にスラスト力を加えることにより、サポートの脚部を迅速に縮めることを可能にする。第一のロック手段の効果を取り除くことは、スパイダーの上に、または、支持された装置に最も近い脚部の端部に配置されたプッシュボタン・リモート・コントロールにより、もたらされても良い。
【００５１】
本発明は、それ故に、引用された先行技術を参照しながら先に挙げられた問題を解決し、先に述べた数多くの優位性を実現する。
【図面の簡単な説明】
【００５２】
【図１】図１は、本発明に基づき製造されるサポートの側面図である。
【図２】図２は、二つの異なる作動位置における、図１のサポートの脚部の二つの側面図の内の一方である。
【図３】図３は、二つの異なる作動位置における、図１のサポートの脚部の二つの側面図の内のもう一方である。
【図４】図４は、図１のサポートの詳細の断面図である。
【図５】図５は、図１のサポートの更なる詳細の断面図である。
【図６】図６は、図４の詳細の構造的な変形形態の詳細の断面図である。
【図７】図７は、異なる作動形態における、図６の詳細の断面図である。
【図１】
2009522592.tif 000003
【図２】
2009522592.tif 000004
【図３】
2009522592.tif 000005
【図４】
2009522592.tif 000006
【図５】
2009522592.tif 000007
【図６】
2009522592.tif 000008
【図７】
2009522592.tif 000009
【国際調査報告】
2009522592.tif 000010
2009522592.tif 000011
2009522592.tif 000012